(57)【要約】      （修正有）【課題】異なるインターフェースに対応した読取装置を提供する。【解決手段】読取装置は、第一インターフェースコネクタ１１を有する第一電気装置１または第二インターフェースコネクタを有する第二電気装置に挿入されるものである。また、読取装置は、配線基板と、配線基板に設置され、第一インターフェース信号を伝送する第一インターフェースモジュール４と、配線基板の第一インターフェースモジュール４とは反対側に設置され、第二インターフェース信号を伝送する第二インターフェースモジュール５と、配線基板に電気的に接続され、データの記憶が可能であるメモリモジュールと、配線基板に電気的に接続され、メモリ信号、第一インターフェース信号、および第二インターフェース信号を互いに変換可能であるプロセッサと、を備える。【選択図】図１
0003203004.tif 000002
【実用新案登録請求の範囲】
【請求項１】
第一インターフェースコネクタを有する第一電気製品或は第二インターフェースコネクタを有する第二電気製品に挿し込む装置であって、
配線基板と、第一インターフェースモジュールと、第二インターフェースモジュールと、記憶モジュールと、プロセッサとを備え、
前記第一インターフェースモジュールは、前記配線基板に設置されており、ハウジングおよび前記ハウジングに設置されており前記配線基板と電気接続する複数の端子を有し、複数の前記端子は、第一インターフェースコネクタに対応し、第一インターフェース信号を送信し、複数の第一端子を有し、複数の前記第一端子は、前記配線基板の表面に設置されており、前記第一インターフェースモジュールと前記第一インターフェースコネクタとの挿入方向を判断する第一正逆方向判断端子を有し、
前記第二インターフェースモジュールは、前記配線基板の前記第一インターフェースモジュールの反対側の一面に設置されており、前記配線基板に直接に形成されており、前記第二インターフェースコネクタに対応して第二インターフェース信号を送信する複数のガイドパッドを有し、
前記記憶モジュールは、前記配線基板と電気接続し、データを記憶可能であり、前記配線基板の複数の前記ガイドパッドの一面との反対側の面に設置する絶縁フレームと、前記絶縁フレームに固定されている複数の弾性端子と、メモリーカードとを有し、前記絶縁フレームと前記複数の弾性端子とにより前記メモリーカードの差込スペースが形成されており、複数の前記弾性端子は、前記配線基板と電気接続するはんだ部を複数有し、複数の前記はんだ部とは反対側に形成されており前記メモリーカードと電気接続する弾性アームとを複数有し、
前記プロセッサは、前記配線基板と電気接続し、前記記憶モジュールからの記憶信号を前記第一インターフェース信号または前記第二インターフェース信号に変更し、かつ前記第一インターフェース信号または前記第二インターフェース信号を前記記憶信号に変更することを特徴とする読取装置。
【請求項２】
前記第一インターフェースモジュールは、前記ハウジングの前記配線基板とは反対側に設置されている第一ケースを有し、
複数の前記端子は、前記第一ケース内に設置されており、
前記第一ケースは前記第一インターフェースコネクタの挿入に用いられる挿入穴を有し、
前記第二インターフェースモジュールは収容空間が形成されている第二ケースを有し、
前記収容空間は、複数の前記ガイドパッドを収容し、外部と連通する差込開け口を有することを特徴とする請求項１に記載する読取装置。
【請求項３】
カバーを更に備え、
前記第一インターフェースモジュールは、前記ハウジングの前記配線基板とは反対側に設置されている第一ケースをさらに有し、
前記第二インターフェースモジュールは収容空間が形成されている第二ケースを有し、
複数の前記端子は、前記第一ケース内に設置されており、
前記第一ケースは前記第一インターフェースコネクタの挿入に用いられる挿入穴を有し、
前記カバーは、外周を一回まわる周壁と、前記周壁の一側に接続する端壁とを有し、前記周壁と前記端壁とにより内部空間が形成されており、前記内部空間が前記ハウジングと前記配線基板の一部と前記第二ケースの一部とを覆い、
前記端壁は前記第一ケースの貫通に用いられる貫通穴を有することを特徴とする請求項１に記載する読取装置。
【請求項４】
前記第一インターフェースコネクタ、および、前記第二インターフェースコネクタに挿入可能であり、
前記プロセッサは、前記第一インターフェース信号を前記第二インターフェース信号に変更する、または、前記第二インターフェース信号を前記第一インターフェース信号に変更することを特徴とする請求項１に記載の読取装置。
【請求項５】
複数の前記端子は、複数の第二端子を有し、
複数の前記第二端子は、前記配線基板の下面に設置されており、前記第一インターフェースモジュールと前記第一インターフェースコネクタとの挿入方向を判断する第二正逆方向判断端子を有することを特徴とする請求項１に記載の読取装置。
【考案の詳細な説明】
【技術分野】
【０００１】
本考案は、一つの読取装置に関する。特に、異なるインターフェースを有する読取装置である。
【背景技術】
【０００２】
従来、読取装置は、例えば、ＣＦカード、ＭＭＣ（登録商標）カード、ＳＤカード、ｍｉｃｒｏＳＤカード及びＭ２カード等のメモリーカードを収容でき、読取装置を経て前述のメモリーカードに記憶しているデータを別の電気製品に転移し、また、電気製品のメモリ容量を拡張することができる。
【０００３】
しかしながら、電気製品は種類が多く、いろいろなインターフェースと規格を有している。電気製品のデータを交換する場合、別々のインターフェースを有する読取装置が必要である。従来の読取装置は一つのインターフェースだけを有し、異なる電子製品に対応するインターフェースを有する読取装置の準備が必要である。このため、コストが増え、収容空間が減少され、読取装置の正確の確認に時間がかかり消費者が相当な不便を感じている。一方、読取装置を製造する業者にとっては、対応のインターフェースを有する読取装置の製造をすることで、製造コストが上がる場合がある。
【考案の概要】
【考案が解決しようとする課題】
【０００４】
本考案の目的は異なるインターフェースを有する読取装置を提供することである。
【課題を解決するための手段】
【０００５】
前記目的を達成するために、本考案の読取装置は第一インターフェースコネクタを有する第一電気製品或は第二インターフェースコネクタを有する第二電気製品に挿し込む装置であって、配線基板と、配線基板に設置し、ハウジングとハウジングに設置して配線基板と電気接続し、第一インターフェースコネクタに対応して第一インターフェース信号を送信し、配線基板の表面に設置して第一インターフェースモジュールが表方向或は裏方向で第一インターフェースコネクタに挿し込まれることを判断する第一正逆方向判断端子を持つ複数の第一端子を有する複数の端子と、を含む第一インターフェースモジュールと、配線基板の第一インターフェースモジュールの反対側の一面に設置し、配線基板に直接に形成し、第二インターフェースコネクタに対応して第二インターフェース信号を送信する複数のガイドパッドを有する第二インターフェースモジュールと、配線基板と電気接続し、データを記憶してあって、配線基板の複数のガイドパッドの一面との反対面に設置する絶縁フレームと、絶縁フレームに固定して配線基板と電気接続するはんだ部とはんだ部と反対する側にメモリーカードと電気接続する弾性アームとを有する複数の弾性端子と、メモリーカードとを含め、絶縁フレームと複数の弾性端子はメモリーカードが差込スペースを決定する記憶モジュールと、配線基板と電気接続し、記憶モジュールからの記憶信号を第一インターフェース信号または第二インターフェース信号に変更する及び第一インターフェース信号または第二インターフェース信号を記憶信号に変更するプロセッサと、を含む読取装置である。
【０００６】
本考案の一つの実施形態では、第一インターフェースモジュールがハウジングに設置し、配線基板に反対する第一ケースを更に含め、そして、複数の端子が第一ケースに設置し、第一ケースが第一インターフェースコネクタに挿入される挿入穴を有することが好ましい。また、本考案の読取装置において、第二インターフェースモジュールが収容空間を決定する第二ケースを更に含め、そして、収容空間に複数のガイドパッドを設置され、収容空間が外部と繋がる差込開け口を有することが好ましい。
【０００７】
本考案の一つの実施形態では、第一インターフェースモジュールがハウジングに設置し、配線基板に反対する第一ケースを更に含め、そして、複数の端子が第一ケースに設置し、第一ケースが第一インターフェースコネクタに挿入される挿入穴を有し、また、読取装置は外周を一回まわる周壁と周壁の一側に接続する端壁とを有するカバーを更に含み、そして、周壁と端壁が共に内部空間を決め、内部空間がハウジングと一部の配線基板と一部の第二ケースとを覆い、端壁が第一ケースに貫通される貫通穴を有することが好ましい。
【０００８】
本考案の一つの実施形態では、読取装置は第一インターフェースコネクタに挿入することと、第二インターフェースコネクタに挿入することに適合し、プロセッサが第一インターフェース信号を第二インターフェース信号に変更し、そして、第二インターフェース信号を第一インターフェース信号に変更することが好ましい。
【０００９】
本考案の一つの実施形態では、複数の端子が複数の第二端子を有し、複数の第二端子が配線基板の下面に設置し、第一インターフェースモジュールと第一インターフェースコネクタが表方向或は裏方向で互いに挿入することを判断する第二正逆方向判断端子を有することが好ましい。
【００１０】
前述に基いて、本考案に係る読取装置が第一インターフェースモジュールで第一インターフェース信号を送信し、第二インターフェースモジュールで第二インターフェース信号を送信し、記憶モジュールでデータを記録することによって、プロセッサを介して記憶モジュールからの記憶信号を第一インターフェース信号や第二インターフェース信号に変更し、第一インターフェース信号や第二インターフェース信号を記憶信号に変更し、第一インターフェース信号を第二インターフェース信号に変更し、そして、第二インターフェース信号を第一インターフェース信号に変更し、違うインターフェースの間に送信することが可能になる。
【００１１】
以下、本考案の目的、特徴、および利点を添付図面、または以下の実施形態に基づいて具体的に説明する。
【図面の簡単な説明】
【００１２】
【図１】本考案の第一実施形態による読取装置が第一電気装置に挿入することに適合する使用状態を示す斜視図である。
【図２】本考案の第一実施形態による読取装置が第二電気装置に挿入することに適合する使用状態を示す斜視図である。
【図３】本考案の第一実施形態による読取装置を示す分解斜視図である。
【図４】図３のＶ−Ｖ線断面図である。
【図５】本考案の第一実施形態による読取装置を示す斜視図である。
【図６】本考案の第一実施形態による読取装置を示す側面図である。
【図７】本考案の第一実施形態による読取装置を示す平面図である。
【図８】図７のＶＩＩＩ−ＸＩＩＩ線断面図である。
【図９】本考案の第二実施形態による読取装置のカバーを示す斜視図である。
【図１０】本考案の第二実施形態による読取装置の記憶モジュールが一体化封止の回路ユニットであることを示す斜視図である。
【図１１】本考案の第二実施形態による読取装置を示す側面図である。
【図１２】本考案の第三実施形態による読取装置における配線基板に直接に組み込む記憶装置を示す斜視図である。
【図１３】本考案の第三実施形態による読取装置を示す側面図である。
【考案を実施するための形態】
【００１３】
以下、本考案の特徴と長所をわかりやすくするため、実施形態と図面を参照しながらより詳しい説明をする。本考案における方向用語は、例えば、［上］、「下」、「前」、「後」、「左」、「右」、「内」、「外」、「側面」等、図面の方向を参考にするだけで、理解を容易にするためだけであって、これらの方向用語は、本考案を限定するものではない。
【００１４】
本考案は上述の目的と効果、及び課題を解決するための技術手段と構造を達するため、本考案の実施形態に対して図面を参照してその特徴と効果を説明する。似ている装置は同様の番号で示す。
【００１５】
（第一実施形態）
図１、図２及び図３を参照すると、本考案の読取装置の第一実施形態は第一インターフェースコネクタ１１を有する第一電気装置１に挿入すること及び／或は第二インターフェースコネクタ２１を有する第二電気装置２に挿入することに適合する。本実施形態において、第一電気装置１は手持ちの装置として、例えば、スマートフォンであり、第一インターフェースコネクタ１１がＵＳＢ  Ｃ−ｔｙｐｅの規格に適合するコネクタである（例えば、マイクロＵＳＢコネクタ（ｍｉｃｒｏ  ＵＳＢ  ｒｅｃｅｐｔａｃｌｅ））。第二電気装置２はコンピュータ装置であり、第二インターフェースコネクタ２１がＵＳＢの規格に適合するコネクタである。しかし、本考案の読取装置はこれらに限定されず、第一電気装置１は他のＵＳＢ  Ｃ−ｔｙｐｅの規格のコネクタを有する装置にすることもでき、第二電気装置２は他のＵＳＢの規格のコネクタを有する装置にすることもできる。前期読取装置は配線基板３と、第一インターフェースモジュール４と、第二インターフェースモジュール５と、記憶モジュール６と、プロセッサ７と、カバー８とを含める。
【００１６】
図３、図４、図５、図６、図７及び図８を参照すると、配線基板３が複数の配線基板３の表面に直接に形成する接続パッド３１と、互いに間隔する二つの接続穴３２と、互いに間隔して複数の接続穴３２に反対する二つの制限穴３３と、複数の接続穴３２と複数の制限穴３３の間に設置する二つの定位穴３４と、複数のはんだパッド３５とを含める。
【００１７】
第一インターフェースモジュール４が配線基板３に設置され、ハウジング４１と、ハウジング４１の一側に設置して配線基板３に反対する第一ケース４２と、ハウジング４１から近隣の配線基板３に向かって複数の接続穴３２に接続する二つの接続突起４３と、ハウジング４１に設置して第一ケース４２に収容して配線基板３の接続パッド３１と電気接続する複数の端子４４とを含める。また、第一ケースが第一インターフェースコネクタ１１に挿入させる差込穴４２１を有する。複数の端子４４と第一ケース４２が第一インターフェースコネクタ１１（図１に参照する）に対応し、ＵＳＢ  Ｃ−ｔｙｐｅの規格に符合し、第一インターフェース信号、即ち、ＵＳＢ  Ｃ−ｔｙｐｅの信号を送信する。複数の端子４４が配線基板３の表面に設置して第一インターフェースモジュール４が表方向或は裏方向で第一インターフェースコネクタ１１に挿し込まれることを判断する第一正逆方向判断端子４４１２を持つ複数の第一端子４４１を有する（主として、プラグの表裏方向を気にせずに挿抜）。一般的に、第一正逆方向判断端子４４１２がＣＣ１（Ｃｏｎｆｉｇｕｒａｔｉｏｎ  ｃｈａｎｎｅｌ）であり、ＵＳＢ  Ｃ−ｔｙｐｅの規格における表方向或は裏方向で挿入することを判断するピンである。コストに考量して、一部の製品は複数の第一端子４４１だけ設置する。しかしながら、本実施形態において、複数の端子４４が複数の第二端子４４２を更に有し、複数の第二端子４４２が配線基板３の下面に設置し、第一インターフェースモジュール４と第一インターフェースコネクタ１１が表方向或は裏方向で互いに挿入することを判断する第二正逆方向判断端子４４２２を有する。一般的に、第二正逆方向判断端子４４２２がＣＣ２（Ｃｏｎｆｉｇｕｒａｔｉｏｎ  ｃｈａｎｎｅｌ）であり、ＵＳＢ  Ｃ−ｔｙｐｅの規格における表方向或は裏方向で挿入することを判断するピンである。
【００１８】
また、第二インターフェースモジュール５が配線基板３の第一インターフェースモジュール４の反対側の一面に設置し、収容空間５１１を決定する第二ケース５１と、収容空間５１１に収容されるガイドパッド５２とストッパ５３とを含める。複数のガイドパッド５２が第二インターフェースコネクタに対応して配線基板３の表面に直接に形成し（図２を参照する）、ＵＳＢの規格に符合し、第二インターフェース信号、即ち、ＵＳＢの信号を送信する。収容空間５１１が外部と繋がる差込開け口５１０を有する。
【００１９】
具体的に、第二ケース５１が反対側に位置する二つの定位溝５１２と、反対側に位置する二つの制限溝５１３と、接着板５１４と、接着板５１４と反対する封止板５１５と、接着板５１４から近隣の封止板５１５へ伸びる二つの接続突出５１６と、接着板５１４から封止板５１５へ遠隔して伸びる固定シート５１７とを有する。ストッパ５３が二つの側壁５３１と、複数の側壁と接続する接続壁５３２と、接続壁５３２に形成して接続突出５１６に接続される二つの接続穴５３３と、接続壁５３２から配線基板３へ伸びる保持縁５３４とを有する。複数の側壁５３１と保持縁５３４が配線基板に設置され、第二インターフェースコネクタ２１の端子（図示せず）が保持縁５３４に保持でき、第二インターフェースコネクタ２１の端子が深すぎで挿入することを避ける。
【００２０】
記憶モジュール６が配線基板３と電気接続し、データを記録する。記憶モジュール６が配線基板３の複数のガイドパッド５２と反対する面に設置する絶縁フレーム６１と、絶縁フレーム６１に固定する複数本の弾性端子６２と、メモリーカードとを有する。絶縁フレーム６１と複数の弾性端子６２はメモリーカード６３が差込スペース６５を決定する。メモリーカード６３が複数の信号パッド６３１を有する。本実施形態において、メモリーカード６３がＳＤカードであるが、これに限定されず、他の種類のメモリーカードであることもできる。複数の弾性端子６２が配線基板３のはんだパッド３５と電気接続する溶接はんだ溶接部６２１と、溶接はんだ溶接部６２１と反対する側にメモリーカード６３の信号パッド６３１と電気接続する弾性アーム６２２とを有する。
【００２１】
具体的に、絶縁フレーム６１がフレーム６１１と、フレーム６１１から近隣の配線基板３へ伸びて配線基板３の定位穴３４に接続する二つの定位柱６１２と、フレーム６１１から近隣の配線基板３へ伸びて配線基板３の制限穴３３に接続する二つの制限柱６１３と、フレーム６１１の二つの相反対側から伸びて第二ケース５１の定位溝５１２に接続する二つの定位突柱６１４と、フレーム６１１の二つの相反対側から伸びて第二ケース５１の制限溝５１３に接続する二つの定位突塊６１５とを有する。
【００２２】
プロセッサ７が配線基板３に設置し、記憶モジュールからの記憶信号を第一インターフェース信号または第二インターフェース信号に変更し、第一インターフェース信号または第二インターフェース信号を記憶信号に変更し、第一インターフェース信号を第二インターフェース信号に変更し、そして、第二インターフェース信号を第一インターフェース信号に変更する。
【００２３】
カバー８が外周を一回まわる周壁８１と周壁８１の一側に接続する端壁８２とを有し、周壁８１と端壁８２が共に内部空間８３を決め、内部空間８３がハウジング４１と一部の配線基板３と一部の第二ケース５１とを覆う。端壁８２が第一ケース４２に貫通される貫通穴８２１を有する。以下、本実施形態の読取装置を使う方法について説明する。
【００２４】
図１と図３を参照して、メモリーカード６３を差込スペース６５に挿入でき、そして、読取装置の第一インターフェースモジュール４の差込穴４２１を第一電気装置１の第一インターフェースコネクタ１１に挿入できる。そして、第一電気装置１のソフトウェア（図示せず）によって、メモリーカード６３の記憶データからの記憶信号をプロセッサ７によって第一インターフェース信号に変更し、第一電気装置１の記憶ユニット（図示せず）に送信する。また、第一電気装置１の記憶データからの第一インターフェース信号をプロセッサ７に送信して第一インターフェース信号を記憶信号に変更し、第一電気装置１のデータをメモリーカード６３にバックアップすることになる。
【００２５】
図２と図３を参照して、また、読取装置の第二インターフェースモジュール５の差込開け口５１０を第二電気装置２の第二インターフェースコネクタ２１に挿入する。そして、第二電気装置２のソフトウェア（図示せず）によって、メモリーカード６３の記憶データからの記憶信号をプロセッサ７によって第二インターフェース信号に変更し、第二電気装置２の記憶ユニット（図示せず）に送信する。また、第二電気装置２の記憶データからの第二インターフェース信号をプロセッサ７に送信して第二インターフェース信号を記憶信号に変更し、第二電気装置２のデータをメモリーカード６３にバックアップすることになる。
【００２６】
一方、読取装置は第一電気装置１と第二電気装置２と同時に接続できる。詳しくは、第一インターフェースモジュール４の差込穴４２１を第一電気装置１の第一インターフェースコネクタ１１に挿入し、第二インターフェースモジュール５の差込開け口５１０を第二電気装置２の第二インターフェースコネクタ２１に挿入する。即ち、第二電気装置２のソフトウェア（図示せず）によってデータを送信するからの第二インターフェース信号をプロセッサ７に送信して第二インターフェース信号を第一インターフェース信号に変更し、第一電気装置１の記憶ユニットに送信する。また、第二電気装置２のソフトウェア（図示せず）によってデータを送信するからの第二インターフェース信号をプロセッサ７に送信して第二インターフェース信号を記憶信号に変更し、第二電気装置２のデータをメモリーカード６３にバックアップすることが好ましい。即ち、第二電気装置２のデータを第一電気装置１と読取装置に送信できる。
【００２７】
また、第一電気装置１の記憶データからの第一インターフェース信号をプロセッサ７に送信して第一インターフェース信号を第二インターフェース信号に変更し、第二電気装置２の記憶ユニットに送信する。また、第一電気装置１のソフトウェアによってデータを送信するからの第一インターフェース信号をプロセッサ７に送信して第一インターフェース信号を記憶信号に変更し、第一電気装置１のデータをメモリーカード６３にバックアップすることが好ましい。即ち、第一電気装置１のデータを第二電気装置２と読取装置に送信できる。
【００２８】
また、メモリーカード６３が差込スペース６５に挿入されず、読取装置は第一電気装置１と第二電気装置２と同時に接続することとすれば、読取装置は第一電気装置１と第二電気装置２の間の送信媒介だけになる。
【００２９】
このため、本考案の読取装置によって、第一電気装置１と第二電気装置２の間でデータを送信することが簡単にでき、送信の方法も多様になる。なお、読取装置の使用がより便利になって、あまり多い読取装置を収容する収容スペースも必要しない。また、コストも降下でき、即ち、読取装置を製造することだけに、第一電気装置１と第二電気装置２の間でデータを送信することに適合する。
【００３０】
（第二実施形態）
図９、図１０及び図１１を参照して、本考案の読取装置における第二実施形態は、主に第一実施形態と同様するが、異なる点は記憶モジュール６の形体であって、図３に示すような第一実施形態の可動できる差込開け口５１０に挿入するメモリーカード６３と違い、つまり、第二実施形態の記憶モジュール６が絶縁フレーム６１と、弾性端子６２と、差込スペース６５とを含めない。そして、カバー８の周壁８１が封鎖される周壁８１である。
【００３１】
図１０と図１２を参照して、記憶モジュール６が一体化封止（システムインパッケージ、ＳＩＰ）の回路ユニットである。つまり、回路ユニットが配線基板３と、プロセッサ７と、複数のガイドパッド５２と、メモリーチップとを統合して一体化封止する。
【００３２】
（第三実施形態）
図１１と図１３を参照して、本考案の読取装置における第三実施形態は、主に第二実施形態と同様するが、異なる点は記憶モジュール６の形体である。
【００３３】
図１２を参照して、記憶モジュール６が配線基板３に直接に組み込むメモリーチップである記憶ユニット６６と、記憶ユニット６６と配線基板３との間で封止樹脂により保護されているワイヤボンディング（ｗｉｒｅ  ｂｏｎｄｉｎｇ）とを有する。
【００３４】
図１２と図１３が示すように、第二インターフェースモジュール５がほこりや酸化で記憶ユニット６６と配線基板３の動作への影響を防止するため、第二インターフェースモジュール５の第二ケース５１が一部の差込開け口５１０を封鎖する防壁５１８を更に含める。
【００３５】
上述のように、本考案の読取装置は、第一インターフェースモジュール４で第一インターフェース信号を送信すると、第二インターフェースモジュール５で第二インターフェース信号を送信すると、記憶モジュール６でデータを記録する等のことによって、プロセッサ７で記憶モジュール６からの記憶信号を第一インターフェース信号や第二インターフェース信号に変更し、第一インターフェース信号や第二インターフェース信号を記憶信号に変更し、第一インターフェース信号を第二インターフェース信号に変更し、第二インターフェース信号を第一インターフェース信号に変更して違うインターフェースの間で送信することができる故、本考案の目的に確実に達成できる。
【００３６】
なお、以上は本考案の実施形態の説明に過ぎず、本考案の請求範囲を限定するものではなく、本考案の明細書及び図面の内容に基づきなし得る簡易な修飾及び同じ効果を達成できる構造変化は、いずれも本考案の請求範囲内に属する。
【符号の説明】
【００３７】
１・・・第一電気装置
１１・・・第一インターフェースコネクタ
２・・・第二電気装置
２１・・・第二インターフェースコネクタ
３・・・配線基板
３１・・・接続パッド
３２・・・接続穴
３３・・・制限穴
３４・・・定位穴
３５・・・はんだパッド
４・・・第一インターフェースモジュール
４１・・・ハウジング
４２・・・第一ケース
４２１・・・差込穴
４３・・・接続突起
４４・・・端子
４４１・・・第一端子
４４１２・・・第一正逆方向判断端子
４４２・・・第二端子
４４２２・・・第二正逆方向判断端子
５・・・第二インターフェースモジュール
５１・・・第二ケース
５１０・・・差込開け口
５１１・・・収容空間
５１２・・・定位溝
５１３・・・制限溝
５１４・・・接着板
５１５・・・封止板
５１６・・・接続突出
５１７・・・固定シート
５１８・・・防壁
５２・・・ガイドパッド
５３・・・ストッパ
５３１・・・側壁
５３２・・・接続壁
５３３・・・接続穴
５３４・・・保持縁
６・・・記憶モジュール
６１・・・絶縁フレーム
６１１・・・フレーム
６１２・・・定位柱
６１３・・・制限柱
６１４・・・定位突柱
６１５・・・定位突塊
６２・・・弾性端子
６２１・・・はんだ部
６２２・・・弾性アーム
６３・・・メモリーカード
６３１・・・信号パッド
６５・・・差込スペース
６６・・・記憶ユニット
７・・・プロセッサ
８・・・カバー
８１・・・周壁
８２・・・端壁
８２１・・・貫通穴
８３・・・内部空間
【図１】
0003203004.tif 000003
【図２】
0003203004.tif 000004
【図３】
0003203004.tif 000005
【図４】
0003203004.tif 000006
【図５】
0003203004.tif 000007
【図６】
0003203004.tif 000008
【図７】
0003203004.tif 000009
【図８】
0003203004.tif 000010
【図９】
0003203004.tif 000011
【図１０】
0003203004.tif 000012
【図１１】
0003203004.tif 000013
【図１２】
0003203004.tif 000014
【図１３】
0003203004.tif 000015